(57)【要約】      （修正有）【課題】持ち運びが容易で省スペース型の足温器を提供する。【解決手段】本考案の足温器１は、上部に開口部２ａを有する収納箱２と、上部に開口部３ａを有し、保温材４が複数個詰められている袋３とで構成され、袋３は、保温材４と収納箱２とが収納可能な大きさで、袋３の底の部分を収納箱２に収めた状態で、袋３の開口部３ａに足又は脚を挿入して使用されることを特徴とする。当該構成を採用することにより、未使用時には収納箱２を袋３に入れて片付けることができ、使用時には、袋３の中に納められていた収納箱２を取り出し、当該収納箱２の中に袋３の底を入れるだけで準備が完了する。【選択図】図１
0003204214.tif 000002
【実用新案登録請求の範囲】
【請求項１】
上部に開口部を有する収納箱と、上部に開口部を有し、保温材が複数個詰められている袋とで構成され、
前記袋は、前記保温材と前記収納箱とが収納可能な大きさで、
前記袋の底の部分を前記収納箱に収めた状態で、前記袋の開口部に足又は脚を挿入して使用されることを特徴とする足温器。
【請求項２】
前記収納箱の１以上の壁面に加熱器が設けられている請求項１に記載の足温器。
【請求項３】
前記収納箱の各壁面は、保温シートと、前記保温シートよりも内側に設けられ、収納箱内側から外側に向かう熱を内側へと反射する熱反射シートとを備えている請求項１に記載の足温器。
【請求項４】
前記収納箱の１以上の壁面には、前記熱反射シートよりも内側に加熱器が設けられている請求項３に記載の足温器。
【請求項５】
前記収納箱は、折りたたみ及び組み立て可能になっている請求項１乃至請求項４の何れか一項に記載の足温器。
【請求項６】
前記袋の上部の開口部は、外向きに折り返して前記収納箱の開口部の上縁周りに被せ、前記収納箱の開口部の上縁周りと同じサイズにまで絞れるようになっている請求項１乃至請求項５の何れか一項に記載の足温器。
【考案の詳細な説明】
【技術分野】
【０００１】
本考案は、足元又は足元から脚の部分までを温めるタイプの足温器に関する。
【背景技術】
【０００２】
従来、足元だけでなく、脚の部分までを温めるタイプの足温器（以下、単に足温器という）が種々提案されている。このような足温器の内、利用の便を図るため、湯を使わない足湯装置として、特許文献１に記載の足温器がある。
【先行技術文献】
【特許文献】
【０００３】
【特許文献１】特開２００８−２８４０４０号公報
【考案の概要】
【考案が解決しようとする課題】
【０００４】
特許文献1に示すように、従来の足温器は、備え付け式のものが多く、設置場所の無い一般家庭に普及させるのが難しかった。
【０００５】
本考案は、上記従来例の問題を解決するためになされたものであり、持ち運びが容易で省スペース型の足温器を提供することを目的とする。
【課題を解決するための手段】
【０００６】
上記目的を達成するために本考案に係る足温器は、上部に開口部を有する収納箱と、上部に開口部を有し、保温材が複数個詰められている袋とで構成され、前記袋は、前記保温材と前記収納箱とが収納可能な大きさで、前記袋の底の部分を前記収納箱に収めた状態で、前記袋の開口部に足又は脚を挿入して使用されることを特徴とする。
【０００７】
前記収納箱の１以上の壁面に加熱器が設けられていることが好ましい。
【０００８】
または、前記収納箱の各壁面は、保温シートと、前記保温シートよりも内側に設けられ、収納箱内側から外側に向かう熱を内側へと反射する熱反射シートとを備えていることが好ましい。そして、前記収納箱の１以上の壁面には、前記熱反射シートよりも内側に加熱器が設けられていることが好ましい。
【０００９】
上記何れかの場合において、前記収納箱は、折りたたみ及び組み立て可能になっていることが好ましい。この場合において、前記袋の上部の開口部は、外向きに折り返して前記収納箱の開口部の上縁周りに被せ、前記収納箱の開口部の上縁周りと同じサイズにまで絞れるようになっているのが好ましい。
【考案の効果】
【００１０】
本考案の足温器は、湯を使わないため、未使用時には収納箱を袋に入れるだけで片付けることができ、使用時には、袋の中に入っている保温材を外に出すことなく、ただ単にそれまで袋の中に納められていた収納箱を取り出し、当該収納箱の中に袋の底を入れるだけで、足温器として使用することができる。
【図面の簡単な説明】
【００１１】
【図１】本考案の一実施の形態に係る足温器の使用可能状態を示す斜視図。
【図２】同足温器を片付けるときの様子を示す分解斜視図。
【図３】同足温器の袋に、保温材と折り畳んだ収納箱とを収納する様子を示す斜視図。
【図４】袋に保温材と収納箱とを収め、上部の開口部を紐で絞った状態を示す斜視図。
【図５】折り畳み可能な収納箱を分解する手順を説明するための図で、先ず、面ファスナーで留められていた壁面（側壁）を外し、当該壁面（側壁）を開いた状態を示す斜視図。
【図６】折り畳み可能な収納箱を分解する手順を説明するための図で、面ファスナーで留められている壁面（側壁）と壁面（底面）との間の接続箇所を示す斜視図。
【図７】折り畳み可能な収納箱が有していた２つの接続箇所を解き、完全に展開図の状態にまで展開したときの収納箱の内面を示す斜視図。
【図８】折り畳み可能な収納箱が有していた２つの接続箇所を解き、完全に展開図の状態にまで展開したときの収納箱の外面を示す斜視図。
【図９】展開した状態から、袋に収納するため折り畳む際の畳む向きを示す斜視図。
【図１０】収納箱を展開した状態から、完全に折り畳んだ状態を示す斜視図。
【図１１】収納箱の底面の内部構成を示す斜視図。
【考案を実施するための形態】
【００１２】
本考案に係る足温器は、上部に開口部を有する収納箱と、上部に開口部を有し、保温材が複数個詰められている袋とで構成されている。前記袋は、前記保温材と前記収納箱とが収納可能な大きさである。足温器として使用する場合、前記袋の底の部分を前記収納箱に収めた状態にする。使用者は、前記袋の開口部に足又は脚を挿入して使用する。上記構成を採用することにより、未使用時には収納箱を袋に入れて片付けることができ、使用時には、袋の中に入っている保温材を外に出すことなく、ただ単にそれまで袋の中に納められていた収納箱を取り出し、当該収納箱の中に袋の底を入れるだけで、足温器として使用することができる。このように、本考案に係る足温器は、持ち運びが容易で省スペース型である。なお、収納箱の１以上の壁面、即ち側壁及び底面の内の一部または全部に加熱器を備えるのが好ましい。
【００１３】
図１に示すように、実施の形態に係る足温器1は、収納箱２と、袋３と、袋３に複数個詰められている保温材４と、で構成される。収納箱２は、簡単な操作により折りたたみ及び組み立て可能になっている３０〜５０ｃｍ四方の略立方体の形状で、上部に開口部２ａを有している。収納箱２の各壁面は、段ボール紙のように比較的固く壁面としての自立性を併せ持つ保温シートと、保温シートよりも内側に設けられ、収納箱内側から外側に向かう熱を内側へと反射するアルミ貼付シートのような熱反射シートとを備えており、これらを例えばキルティングシートで覆った構成を有している。当該構成を採用することにより、収納箱２内に熱がたまり、保温性が良くなる。さらに、収納箱２の底面には、前記熱反射シートよりも内側に電気式の加熱器２ｂが設けられている。加熱器２ｂは壁面に収められている加熱面と、当該加熱面への給電量を制御するコントローラと、電源コードとで構成されている。加熱器２ｂを備えることにより、迅速な加熱を可能にする。使用状態にあるとき、収納箱２の開口部２ａには、袋３の底が収められる。袋３は、布類、例えばキルティング、不織布等の柔らかな素材でできており、袋３の上部の開口部３ａは、外向きに折り返されて前記収納箱の開口部２ａの上縁周りに被される。
【００１４】
袋３に詰められている保温材は、保温性及び足入のし易さを考慮した材料及び形状のもので、発泡性の小型の樹脂製品、例えば、直径が数ミリから１５センチの範囲にある球状又は円柱状の、発泡スチロール又はスポンジを使う。この他、足入のし易さが担保されるのであれば、例えば、角を丸くした直方体、多面体等の立体形状の発泡スチロール、スポンジ等を用いても良い。さらには足入のための隙間を作る目的で、球状、多面体、他の立体的形状のものを混在させても良い。このような保温材及び壁面を備えたことにより、使い始めだけ加熱器で加熱し、その後は、保温材及び壁面の保温性によって中の温度を保つようにすることもできる。
【００１５】
図２に示すように、足温器１を使用後は、先ず、収納箱２から袋３を取りだす。袋３の上部開口部３ａは、紐３ｂによって絞ることができるようになっている。収納箱２から取り出した袋の開口部３ａを絞ることによって、中に詰められている保温材４がこぼれ出るのを防ぐことができる。当該構成は、特に保温材４の個々のサイズが小さいときにときに有効である。また、図１に示したように、使用時は、上部開口部３ａを収納箱２の開口部２ａの上縁にかぶせ、紐３ｂを絞ることによって、収納箱２の開口部３ａが、袋３の中に入れられた使用者の足によって押し広げられるのを防ぐことができる。
【００１６】
図３に示すように、収納箱２は、取りだされた袋３に、保温材４、収納箱２の順で収められる。好ましい構成の収納箱２は、組み立て式になっており、分解し、折りたたむことができる。袋３に、折りたたんだ収納箱２を収めるようにすれば、一層のコンパクト化を図ることができる。
【００１７】
図４に示すように、袋３に、保存材４及び収納箱２を収めた後、紐３ｂにより開口部３ａを絞ることによって、未使用時の片づけが完了する。このように足温器１では、袋３に詰められている保温材４を一度も袋から外に出すことなく、かつ、こぼすことなく、片付けることができる。使用する場合には、前記手順の逆、即ち、袋３から収納箱２を取りだし、箱状に組み立てた後に、袋３の底の部分を収納箱２の開口部２ａに収め、袋３の上部の開口部３ａを外側に折り返し、収納箱２の開口部２ａの上縁にかぶせる、という手順だけで、使用状態にすることができる。
【００１８】
図５乃至図８は、収納箱２の分解手順を説明し、図９乃至図１０は、分解した収納箱２の折りたたみ方及び折りたたんだ状態を示す。図５に示すように、収納箱２は、全部で５つの壁面２１〜２５を有する。壁面２１〜２４は側壁、壁面２５は底面である。各壁面の縁は、折りたたんで重ねれるように、保温シート等を内包していない薄い布のみの部分が、壁面の厚みを考慮した長さだけ設けられている。壁面２１の端には、面ファスナー２１ａがその辺の向きに沿って貼り付けられている。面ファスナーとしては、例えばマジックテープ(登録商標)がある。壁面２４の端には、辺に沿って接続用の折り曲げ部分２４ａが設けられており、当該折り曲げ部分２４ａには、面ファスナー２１ａに張り付く面ファスナー２４ｂがその部分に沿って貼り付けられている（図７及び図８を参照）。収納箱２の分解は、図５に示すように、先ず、この面ファスナー２４ｂを面ファスナー２１ａから離し、壁面２４を開放することによって行われる。このように、収納箱２は、壁面同士を面ファスナーで繋ぐという極めて簡単な構成になっている。このため、使用者が足を入れ、当該足を広げた際に面ファスナー２１ａ、２４ｂが外れ、箱が壊れてしまう恐れがある。しかし、この収納箱２に入れる袋３の上部開口部３ａを収納箱２の開口部２ａの上縁に被せ、紐３ｂを開口部２ａのサイズにまで絞ることで、面ファスナー２１ａ、２４ｂが外れてしまうことを防ぐことができる。なお、開口部３ａを絞った紐３ｂは、結んで留めてもよいし、周知の固定具を用いて絞った状態を保つようにしてもよい。
【００１９】
図６に示すように、次に、壁面（底面）２５と壁面(側壁)２３との間を繋いでいる面ファスナー２５ａと２３ａとを外す。これにより、収納箱２は図７及び図８に示す状態に展開される。図７は収納箱２の壁面の内側の面（以下、単に内面）を上に向けた状態を示し、図８は、収納箱２の壁面の外側の面（以下、単に外面）を上に向けた状態を示す。
【００２０】
図９には、説明の容易化のため、組み立てたときに収納箱２の内側になる面には“内面”と記し、外側になる面には“外面”と記す。図示するように、収納箱２の壁面２１の内面と壁面２２の内面、壁面２２の外面と壁面２３の外面、壁面２３の内面と壁面２４の内面、壁面２５の外面と壁面２１の外面とが向き合うように折り曲げる。このように折り曲げることによって、図１０に示すように、収納箱２は、コンパクトに折りたたむことができる。折りたたんだ収納箱２は、図３に示したように、袋３に収めて片付けることができる。収納箱２は、各壁面２１〜２５を前記とは逆向きに折りたたんでも同様にコンパクトに折りたたむことができる。
【００２１】
図１１は、収納箱２の壁面２５のキルティングの表面を一部除去し、内包物を可視化した斜視図である。収納箱２の壁面２５は、比較的固く壁面としての自立性を併せ持つ保温シートとして正方形の段ボール紙２５ａを一番底の位置、即ち組み立てた収納箱２でみると最も外側の位置に有している。この段ボール紙２５ａよりも内側、即ち図１１において段ボール紙２５ａの上には、収納箱２の内側から外側へと向かう熱を内側へと反射する熱反射シートとして正方形のアルミ貼付シート２５ｂが設けられている。アルミ貼付シート２５ｂとしては、例えば“Reflectix”（登録商標）がある。当該構成を採用することにより、収納箱２内に熱がたまり、保温性が良くなる。さらに、アルミ貼付シート２５ｂよりも内側、即ち図１１においてアルミ貼付シート２５ｂの上には正方形の電気式の加熱器２ｂが設けられている。当該構成を採用することにより、加熱器２ｂによる加熱効率を良くすることができる。底面になる壁面２５は、段ボール紙２５ａと、アルミ貼付シート２５ｂと、加熱器２ｂとを、軽くて保温性に優れたキルティングシートで覆った構成を有している。その他の壁面２１乃至２４は、段ボール紙２５ａと、アルミ貼付シート２５ｂとだけを備えている。また、図示するように、壁面２５の縁には、図１０に示したように折りたたんで重ねれるように、段ボール紙２５ａ等を内包していない薄いキルティングシートのみの部分２５ｃが、壁面の厚みを考慮した幅で設けられている。他の壁面２１〜２４についても同様である。
【００２２】
なお、本考案は、上記各種実施形態の構成に限られず、考案の趣旨を変更しない範囲で種々の変形が可能である。例えば、袋３の側面に、開口部３ａに平行に間隔を開けて収縮性の輪ゴムを通しておくことで、前述した収納箱２の面ファスナー２１ａ、２４ｂによる接続部分を一層補強することができる。
【００２３】
また、収納箱２は、個人による使用を考慮してコンパクトに折りたたみやすい立方体の形状を採用するが、これに限定されない。例えば複数人が同時に使用することを考慮して底面のサイズを側面よりも大きな矩形にすることも考えられる。この場合でも袋３に全ての保温材４を収納しておき、これを外に出すことなく、使用状態から、未使用状態へ片付けることができるという効果が得られる。
【００２４】
足温器１は、主に足元から脚の範囲を温めるが、足元から、人の首又は肩よりも下側の範囲を温める装置、いわゆるお湯を使わない浴槽のようなサイズのものを含むものとする。また、袋３の開口部分を覆うシートを用いることで、お湯を使わない足湯効果にサウナ効果を追加することができる。このような場合であっても、袋３の上部の開口部を外側に折り返して紐３ａを絞ることによって、収納箱２の壁面が開くのを防ぐことができるので、収納箱の壁面２１〜２５は軽い段ボール紙及びキルティングで作れ、結果、足温器１は持ち運びの便が良いものとすることができる。
【００２５】
また、壁面（側壁）２１〜２４、壁面（底面）２５の一部または全部を２つ折りなど複数個所で折り曲げられるようにすることで、一層コンパクトに収納可能とすることができる。さらに、収納箱２は、壁面２５に加えて、又は壁面２５の代わりに、壁面２１乃至２４の一部または全部に加熱器を備えてもよい。
【００２６】
また、袋３は、柔らかな布を用いると説明した。しかし、収納箱２に袋３の底の部分がおさまり、袋３の上部開口部３ａが収納箱２の開口部２ａの上部縁に折り返して被せることができ、その開口部３ａを収納箱２の上部開口部２ａの大きさにまで絞ることができ、同時に、保温材４を底に収めた状態で、その上に収納箱２を格納可能であるという条件を満たす限りにおいて、全体が軟質のプラスティック製品を用いてもよいし、底が硬質のプラスティック製品で、上部が折り返し可能なほどの柔らかさのプラスティック製品又は布を用いてもよい。例えば、収納箱２に入れられる袋３の底の部分を硬化プラスチックとすることで、組み立て式の収納箱２が人の脚で押し広げられることをより有効に防ぐことができる。
【産業上の利用可能性】
【００２７】
本考案に係る足温器は、脚の部分までを温めることを想定して構成されているが、保温性に優れ、同時に、コンパクトに片付けて持ち運びが容易という特性を活かして、食べ物の保温器等に利用することもできる。
【符号の説明】
【００２８】
１      足温器
２      収納箱
２ａ    収納箱の開口部
２ｂ    加熱器
３      袋
３ａ    袋の開口部
４      保温材
２１〜２５  壁面
２５ａ  段ボール紙（保温シート）
２５ｂ  アルミ貼付シート（熱反射シート）
【図１】
0003204214.tif 000003
【図２】
0003204214.tif 000004
【図３】
0003204214.tif 000005
【図４】
0003204214.tif 000006
【図５】
0003204214.tif 000007
【図６】
0003204214.tif 000008
【図７】
0003204214.tif 000009
【図８】
0003204214.tif 000010
【図９】
0003204214.tif 000011
【図１０】
0003204214.tif 000012
【図１１】
0003204214.tif 000013